(57)【要約】  水平及び垂直方向への同時結合が可能な容器が開示される。前記容器は、内部に収納空間が形成されて一側が開口された本体と前記本体を覆うカバーで形成され、前記本体の下面縁に沿って少なくとも２つ以上に分離されたリブが突出形成され、前記カバーの表面には他の本体のリブが差し込まれるトラック状の結合用グルーブが２つ以上離隔されて形成され、前記カバーの裏面縁には前記結合用グルーブを内部に含む大きさのトラック状の密閉用グルーブが形成されて前記本体の開口縁が差し込まれ、前記本体のリブの分離された部分に他のカバーの結合用グルーブの離隔部分が差し込まれるか、又は互いに異なるカバーの表面縁が同時に差し込まれる。【選択図】図１
2015533361.tif 000002
【特許請求の範囲】
【請求項１】
内部に収納空間が形成されて一側が開口された本体と前記本体を覆うカバーで形成される容器であって、
前記本体の下面縁に沿って少なくとも２つ以上に分離されたリブが突出形成され、
前記カバーの表面には他の本体のリブが差し込まれるトラック状の結合用グルーブが２つ以上離隔されて形成され、前記カバーの裏面縁には前記結合用グルーブを内部に含む大きさのトラック状の密閉用グルーブが形成されて前記本体の開口縁が差し込まれ、
前記本体のリブの分離された部分に他のカバーの結合用グルーブの離隔部分が差し込まれるか、又は互いに異なるカバーの表面縁が同時に差し込まれることを特徴とする水平及び垂直方向への同時結合が可能な容器。
【請求項２】
前記リブの高さは前記結合用グルーブの深さより高いことを特徴とする請求項１に記載の水平及び垂直方向への同時結合が可能な容器。
【請求項３】
前記カバーの表面で前記結合用グルーブで囲まれた領域は他の領域より低く形成されることを特徴とする請求項１に記載の水平及び垂直方向への同時結合が可能な容器。
【請求項４】
前記密閉用グルーブの入口には下方に広がる傾斜部が形成されることを特徴とする請求項１に記載の水平及び垂直方向への同時結合が可能な容器。
【請求項５】
前記密閉用グルーブは前記結合用グルーブを囲む位置に形成され、
前記結合用グルーブに差し込まれる前記リブによって前記密閉用グルーブと前記結合用グルーブの間の壁が前記密閉用グルーブの方に押されるように前記密閉用グルーブと前記結合用グルーブが隣接することを特徴とする請求項１に記載の水平及び垂直方向への同時結合が可能な容器。
【請求項６】
前記密閉用グルーブの垂直断面の形状が円形で、前記密閉用グルーブに差し込まれる前記本体の開口縁の垂直断面の形状が円形で、
前記密閉用グルーブの入口には下方に広がる傾斜部が形成されることを特徴とする請求項１に記載の水平及び垂直方向への同時結合が可能な容器。
【請求項７】
内部に収納空間が形成された本体と前記本体を覆うカバーで形成される容器であって、
前記本体の下面縁に沿って少なくとも２つ以上に分離されたリブが突出形成され、
前記カバーの表面には他の本体のリブが差し込まれるトラック状のグルーブが２つ以上互いに離隔されて形成され、
前記リブによって囲まれた内側に空気流動空間が形成され、
前記リブが分離された部分に空気出入口が形成されて前記空気出入口と前記空気流動空間を連結する空気流れチャネルが形成され、
前記本体のリブの分離された部分に他のカバーの結合用グルーブの離隔部分が差し込まれるか、又は互いに異なるカバーの表面縁が同時に差し込まれることを特徴とする水平及び垂直方向への同時結合が可能な容器。
【請求項８】
内部に収納空間が形成されて一側が開口された本体と前記本体を覆うカバーで形成される容器であって、
前記本体の下面で互いに対向する一対の縁に沿って配置されて少なくとも２つ以上に分離されたリブが突出形成され、
前記カバーの上面には他の本体のリブが差し込まれる結合用グルーブが前記リブが配置される方向と同じ方向に延長形成され、前記カバーの下面縁には前記結合用グルーブを内部に含む大きさのトラック状の密閉用グルーブが形成されて前記本体の開口縁が差し込まれ、
前記本体のリブの分離された部分に、隣接した互いに異なるカバーの上面縁が同時に差し込まれることを特徴とする水平及び垂直方向への同時結合が可能な容器。
【請求項９】
前記結合用グルーブの断面形状は下部に行くほど膨らんで膨張された形状であることを特徴とする請求項８に記載の水平及び垂直方向への同時結合が可能な容器。
【請求項１０】
前記リブによって前記本体の下面には空気流動空間が形成され、前記リブが分離された部分やリブが形成されていない部分に空気出入口が形成されて前記空気出入口と前記空気流動空間を連結する空気流れチャネルが形成されることを特徴とする請求項８に記載の水平及び垂直方向への同時結合が可能な容器。
【請求項１１】
内部に収納空間が形成されて一側が開口された本体と前記本体を覆うカバーで形成される容器であって、
前記本体の下面で、それぞれ第１方向に突出延長して互いに対向して離隔されたリブ対が少なくとも２つ以上前記第１方向に垂直の第２方向に配置され、
前記カバーの上面には前記リブが差し込まれる結合用グルーブが前記リブに対応して形成され、前記カバーの下面縁には前記結合用グルーブを内部に含む大きさのトラック状の密閉用グルーブが形成されて前記本体の開口縁が差し込まれ、
一つのリブ対と隣接した他のリブ対の間の間隔が互いに隣接する容器のカバーの上面縁の幅と同じであるか大きいことを特徴とする水平及び垂直方向への同時結合が可能な容器。
【発明の詳細な説明】
【技術分野】
【０００１】
本発明は容器に関するものであり、特に水平及び垂直方向への同時結合が可能な容器に関するものである。また、本発明は結合によって密閉力が向上される容器に関する。
【背景技術】
【０００２】
通常、容器は飲食物を入れる本体と本体を覆うカバーで形成されるが、冷蔵庫などに多数の容器を収納する場合、水平方向に配列すると共に垂直方向に積層して収納する。
【０００３】
この際、垂直方向に積層する際に積層された容器が固く固定されるように相互結合し、上部に位置する本体と下部に位置するカバー間の結合を多く利用するが、例えば特許文献１、特許文献２などがある。
【０００４】
しかし、このような従来の容器の場合、垂直方向にのみ積層される構造であるため水平方向に配列された容器の結合に関しては全く考慮されていない。
【０００５】
また、垂直に積層される各容器の境界面で空気の流れが全くないため、例えば冷蔵庫に収納された場合には積層される容器の境界面の上下に位置する飲食物には冷気が伝達されない問題点がある。
【先行技術文献】
【特許文献】
【０００６】
【特許文献１】大韓民国公開特許第２０１０−０１０６９４７号
【特許文献２】大韓民国公開特許第２００９−００９６０５８号
【発明の概要】
【発明が解決しようとする課題】
【０００７】
よって、本発明の目的は多数の容器が垂直及び水平に同時結合することが可能な容器を提供することである。
【０００８】
本発明の他の目的は、カバーの機械的強度を十分に確保しながら簡単な構造で多数の容器が垂直及び水平に同時結合することが可能な容器を提供することである。
【０００９】
本発明の他の目的は、結合された多数の容器の間の境界面での空気の流れが円滑な容器を提供することである。
【００１０】
本発明の他の目的は、結合によって密閉力が向上される容器を提供することである。
【課題を解決するための手段】
【００１１】
本発明の一実施例によると、内部に収納空間が形成されて一側が開口された本体と前記本体を覆うカバーで形成され、前記本体の下面縁に沿って少なくとも２つ以上に分離されたリブが突出形成され、前記カバーの表面には他の本体のリブが差し込まれるトラック状の結合用グルーブが２つ以上離隔されて形成され、前記カバーの裏面縁には前記結合用グルーブを内部に含む大きさのトラック状の密閉用グルーブが形成されて前記本体の開口縁が差し込まれ、前記本体のリブの分離された部分に他のカバーの結合用グルーブの離隔部分が差し込まれるか、又は互いに異なるカバーの表面縁が同時に差し込まれることを特徴とする水平及び垂直方向への同時結合が可能な容器が提供される。
【００１２】
本発明の他の側面によると、内部に収納空間が形成された本体と前記本体を覆うカバーで形成され、前記本体の下面縁に沿って少なくとも２つ以上に分離されたリブが突出形成され、前記カバーの表面には他の本体のリブが差し込まれるトラック状のグルーブが２つ以上互いに離隔されて形成され、前記リブによって囲まれた内側に空気流動空間が形成され、前記リブが分離された部分に空気出入口が形成されて前記空気出入口と前記空気流動空間を連結する空気流れチャネルが形成され、前記本体のリブの分離された部分に他のカバーの結合用グルーブの離隔部分が差し込まれるか、又は互いに異なるカバーの表面縁が同時に差し込まれることを特徴とする水平及び垂直方向への同時結合が可能な容器が提供される。
【００１３】
本発明のまた他の側面によると、内部に収納空間が形成されて一側が開口された本体と前記本体を覆うカバーで形成され、前記本体の下面で互いに対向する一対の縁に沿って配置されて少なくとも２つ以上に分離されたリブが突出形成され、前記カバーの上面には他の本体のリブが差し込まれる結合用グルーブが前記リブが配置される方向と同じ方向に延長形成され、前記カバーの下面縁には前記結合用グルーブを内部に含む大きさのトラック状の密閉用グルーブが形成されて前記本体の開口縁が差し込まれ、前記本体のリブの分離された部分に、隣接した互いに異なるカバーの上面縁が同時に差し込まれることを特徴とする水平及び垂直方向への同時結合が可能な容器が提供される。
【００１４】
本発明のまた他の側面によると、内部に収納空間が形成されて一側が開口された本体と前記本体を覆うカバーで形成され、前記本体の下面で、それぞれ第１方向に突出延長して互いに対向して離隔されたリブ対が少なくとも２つ以上前記第１方向に垂直の第２方向に配置され、前記カバーの上面には前記リブが差し込まれる結合用グルーブが前記リブに対応して形成され、前記カバーの下面縁には前記結合用グルーブを内部に含む大きさのトラック状の密閉用グルーブが形成されて前記本体の開口縁が差し込まれ、一つのリブ対と隣接した他のリブ対の間の間隔が互いに隣接する容器のカバーの上面縁の幅と同じであるか大きいことを特徴とする水平及び垂直方向への同時結合が可能な容器が提供される。
【発明の効果】
【００１５】
前記構造によると、多数の容器を垂直及び水平方向に同時に結合するため全体的に一つの塊を成して信頼性のある結合を成すことができる。
【００１６】
また、垂直方向に結合した各容器の境界面に空気流動空間が形成されると共に空気出入口を介して空気の流れが生じるため、容器が一つの塊を成していても各容器間の空気の流れを円滑にすることができる。
【００１７】
また、カバーに形成される結合用グルーブを長さ方向や幅方向に一直線に連続又は不連続に形成することで、グルーブを形成してもカバーの強度が維持されるようにすることができる。
【００１８】
また、多数の容器を結合することで却って密閉力が向上される。
【図面の簡単な説明】
【００１９】
【図１】本発明の一実施例による容器を示す分解斜視図である。
【図１ａ】図１のＡ−Ａに沿って切断した断面図である。
【図１ｂ】図１のＢ−Ｂに沿って切断した断面図である。
【図２】図１の容器の本体を裏返して示した斜視図である。
【図３】多様な種類の容器の例を示す斜視図である。
【図４】図１の容器を多数個垂直及び水平方向に結合した状態を示す斜視図である。
【図５】本発明の他の実施例による容器を示す斜視図である。
【図５ａ】図５のＣ−Ｃに沿って切断した断面図である。
【図６】図５の容器を多数個垂直及び水平方向に結合した状態を示す斜視図である。
【図７】図５の変形例を示す斜視図である。
【図８】本発明の他の実施例による容器を示す斜視図である。
【発明を実施するための形態】
【００２０】
以下、添付した図面を参照して本発明の実施例を詳細に説明する。
【００２１】
図１は本発明の一実施例による容器を示す分解斜視図であり、図１ａと図１ｂはそれぞれ図１のＡ−ＡとＢ−Ｂに沿って切断した断面図であり、図２は図１の容器の本体を裏返して示した斜視図である。
【００２２】
図１を参照すると、容器１００は飲食物などを収納する本体１２０と本体１２０に結合するカバー１１０で形成される。
【００２３】
本体１２０は単一の本体で形成され、一側に開口が形成されて全体的に六面体状を成し、内部に収納空間１２１が設けられる。
【００２４】
また、本体１２０の各側壁は上に行くほど広くなるように傾斜を成す。
【００２５】
図２を参照すると本体１２０の下面の縁に沿ってリブ１２３，１２４が突出形成されるが、各リブ１２３，１２４は互いに分離されて対向する。この実施例ではリブ１２３，１２４が対称な形状を構成されるが、それに限らずに互いに異なる大きさで形成されてもよい。
【００２６】
よって、各リブ１２３，１２４が分離された部分には空気出入口１２５，１２６が形成され、矢印で示したように空気が本体１２０の下面に沿って流れるようになる。
【００２７】
空気出入口１２５，１２６は、後述するように下部に積層される他の容器のカバー１１０に形成された境界領域１１６に対応するが、空気出入口１２５，１２６の高さを十分に確保して境界領域１１６の表面との間に十分な間隔を形成することができる。
【００２８】
突出したリブ１２３，１２５によって本体１２０の下面には空気流動空間１２７が設けられ、空気流動空間１２７と連通する空気出入口１２５，１２６によって空気出入口１２５−空気流動空間１２７−空気出入口１２６を連結する空気流れチャネルが形成される。
【００２９】
この実施例ではリブ１２３，１２４が２つに分離されて２つの空気出入口１２５，１２６が形成されることを例に挙げているが、それに限らずにリブが多数に分離されて多数の空気出入口が形成されてもよい。
【００３０】
更に図１、図１ａ及び図１ｂを参照すると、カバー１１０は単一の本体で形成されるが、カバー１１０の表面にトラック状の結合用グルーブ１１２，１１３が対を成して形成され、裏面に縁に沿ってトラック状に密閉用グルーブ１１１が形成される。
【００３１】
この実施例では結合用グルーブ１１２，１１３と密閉用グルーブ１１１がトラック形状に連結されることを例に挙げているが、それに限らずに全体的にトラック状を成すが各グルーブ１１１，１１２，１１３が少なくとも一箇所以上分離されてもよい。
【００３２】
図１と図１ａを参照すると、密閉用グルーブ１１１は結合用グルーブ１１２，１１３を内部に含む大きさで形成されるが、互いに反対の面に形成される。
【００３３】
この実施例では結合用グルーブ１１２，１１３の垂直断面の形状はそれぞれ四角形状で、密閉用グルーブ１１１の垂直断面の形状は円形であるが、それに限ることはない。
【００３４】
上述したように、密閉用グルーブ１１１の垂直断面の形状が円形であるため、それに差し込まれる本体１２０の開口１２１の縁１２２の垂直断面の形状も円形を成す。
【００３５】
密閉用グルーブ１１１の入口には下方に広がる傾斜部１１１ａが形成されて本体１２０の縁１２２が容易に差し込まれるようにする。
【００３６】
上述したように、結合用グルーブ１１２，１１３と密閉用グルーブ１１１は互いに反対の面に形成されるが、垂直方向の設置位置を見ると、結合用グルーブ１１２，１１３は密閉用グルーブ１１１と隣接して形成される。
【００３７】
このように構成する場合、図１ａに示したように、密閉用グルーブ１１１に本体１２０の開口の縁１２２が差し込まれた状態で結合用グルーブ１１２，１１３に他の本体１２０のリブ１２３が差し込まれると、小さい矢印で示したように、それらの間の境界壁１１２ａがリブ１２３によって密閉用グルーブ１１１の方に押されて密閉用グルーブ１１１と本体１２０の開口縁１２２がより確実に結合して本体１２の内部を更に密閉する。
【００３８】
図１ａを参照すると、カバー１１０の表面は結合用グルーブ１１２，１１３によって囲まれた凹領域１１４と結合用グルーブ１１２，１１３の間に形成された境界領域１１６で形成される。凹領域１１４は境界領域１１６よりｔだけ低く形成して後述する空気流動空間を１２７を十分に設け、他の本体１２０のリブ１２３，１２４が容易に差し込まれるようにする。
【００３９】
また、結合用グルーブ１１２，１１３の深さをリブ１２３，１２４の高さより小さく形成して空気流動空間１２７を更に大きく設けてもよい。
【００４０】
この実施例ではカバー１１０の表面に２つの結合用グルーブ１１２，１１３が形成されることを例に挙げているが、それに限らずに少なくとも１つ以上の結合用グルーブが形成されてもよい。
【００４１】
図３は、多様な種類の容器の例を示す斜視図である。
【００４２】
図３ａは一つの空気出入口２４０を有する本体２２０と一つの結合用グルーブ２１２を有する容器２００を示し、図３ｂは２つの空気出入口３２５，３２６を有する本体３２０と３つの結合用グルーブ３１２，３１３，３１４を有する容器３００を示し、図３ｃは３つの空気出入口４２５，４２６，４２７を有する本体４００と４つの結合用グルーブ４１２，４１３，４１４，４１５を有する容器を示す。
【００４３】
ここで、結合用グルーブと空気出入口の大きさは各容器ごとに同じく形成される。それによって、図１と図３に示した各容器１００，２００，３００，４００は適切な組み合わせに配置されて水平及び垂直方向に同時に結合される。
【００４４】
図４は、多数の容器を垂直及び水平方向に結合した状態を示す斜視図である。
大きさが最も大きい容器４００の上に容器３００と容器２００が並んで結合して配置され、容器３００と容器２００に重ねて容器１００が垂直に積層される。
以下、説明の便宜上、容器１００を容器３００と容器２００に重ねて積層する方法について説明する。
【００４５】
各容器１００，２００，３００はカバー１１０，２１０，３１０の裏面に形成された密閉用グルーブに本体１２０，２２０，３２０の開口縁が差し込まれて予め結合されている。
【００４６】
容器３００の結合用グルーブ３１４と容器２００の結合用グルーブ２１２にはそれぞれ容器１００のリブ１２３，１２４が差し込まれる。
【００４７】
この際、リブ１２３，１２４の間の空気出入口１２５には容器２００の表面縁２１１と容器３００の表面縁３１１が同時に差し込まれるが、上述したように、リブ１２３，１２４の高さが結合用グルーブ２１２，３１４の深さより大きく、結合用グルーブ２１２，３１４によって囲まれた領域２１４，３１６が容器２００，３００の表面縁２１１，３１１より低く形成されて空気出入口１２５で容器２００，３００の表面縁２１１，３１１の上に間隙が形成され、それを介して空気が流れるようになる。
【００４８】
前記のように結合が完成されると、垂直方向に容器１００，２００，３００，４００が結合をなすと共に容器１００が分離された容器３００と容器２００を一つに束ねるため水平方向への結合を成すようになる。
【００４９】
その結果、容器１００，２００，３００，４００は垂直及び水平方向に一つの塊を成して信頼性のある結合を成す。
【００５０】
また、垂直方向に結合した各容器１００，２００，３００，４００の境界面に空気流動空間が形成されると共に空気出入口を介して空気の流れが生じるため、容器が一つの塊を成していても各容器１００，２００，３００，４００の間の空気の流れを円滑にすることができる。よって、例えば冷蔵庫に収納される場合、互いに結合された容器の間を円滑に流れることができるため、境界面に位置する飲食物にも均一に冷気が伝達される。
また、容器１００のリブ１２３，１２４が結合用グルーブ２１２，３１４に差し込まれながら結合用グルーブ２１２，３１４の側壁を押して容器２００，３００の裏面に形成された密閉用グルーブが狭くなるように加圧するため、密閉力が更に向上される。
【００５１】
図５は本発明の他の実施例による容器を示す斜視図であり、図５ａは図５のＣ−Ｃに沿って切断した断面図である。以下、説明の便宜上、Ｘ方向を幅方向、Ｙ方向を長さ方向と定義する。
【００５２】
この実施例によると、本体１２０の下面で幅方向に対向する縁に沿って多数のリブ１２３，１２４が長さ方向に沿って一定間隔に突出延長する。
【００５３】
その結果、本体１２０の下面とリブ１２３，１２４によって空気流動空間１２７が形成され、リブ１２３，１２４の間の部分が空気出入口の役割をして、それを介して外部から空気が空気流動空間１２７に流入されるか流出される空気流れチャネルを構成する。
【００５４】
更に図５を参照すると、カバー１１０は単一の本体で形成されるが、カバー１１０の上面に他の本体１２０のリブ１２３，１２４が差し込まれる結合用グルーブ１１２，１１３がリブ１２３，１２４が形成された位置に対応する位置に長さ方向に沿って形成される。
【００５５】
この実施例では結合用グルーブ１１２，１１３が長さ方向に沿って連続して形成されることを例に挙げているが、それに限らずにリブ１２３，１２４の位置に正確に対応して不連続的に形成されてもよい。
【００５６】
また、カバー１１０の下面には図１ａのような構造を具備して縁に沿ってトラック状の密閉用グルーブ１１１が形成されるが、それについては詳細な説明を省略する。
【００５７】
図６は、多数の容器を垂直及び水平方向に結合した状態を示す斜視図である。最下部に位置する大きさが最も大きい容器１００の上に容器２００と容器３００が並んで結合して配置され、容器２００と容器３００の上に共通に重なるように容器４００が垂直に積層される。
【００５８】
以下、説明の便宜上、容器４００を容器２００と容器３００に重ねて積層する方法について説明する。各容器１００，２００，３００はカバー１１０，２１０，３１０の下面に形成された密閉用グルーブに本体１２０，２２０，３２０の開口縁が差し込まれて予め結合されている。
【００５９】
容器３００の結合用グルーブ３１２と容器２００の結合用グルーブ１２１にはそれぞれ容器４００のリブ４２２，４２３が差し込まれる。
【００６０】
この際、リブ４２２，４２３の間の離隔された部分に容器２００のカバー２１０の上面縁と容器３００のカバー３１０の上面縁部分が同時に差し込まれて覆うようになり、結果的に容器２００，３００は容器１００の上に垂直に積層されると共に容器４００によって水平に結合される。その結果、容器１００，２００，３００，４００は垂直及び水平方向に一つの塊を成して信頼性のある結合を成す。
【００６１】
この際、上述したように容器４００のリブ４２２，４２３の高さを結合用グルーブ２１２，３１２の深さより大きく形成することでリブ４２２，４２３の間の離隔された部分を介して容器４００の下面と容器２００，３００の上面の間の空間に外部から空気が流入される。
【００６２】
このように、垂直方向に結合した各容器１００，２００，３００，４００の垂直方向への境界部分に空気流動空間１２７を形成し、垂直に積層された容器２００，３００，４００のリブに離隔された部分が空気流動空間１２７と外部を連結する空気出入口としての役割をするようにすることで、容器１００，２００，３００，４００が一つの塊を成していても各容器１００，２００，３００，４００の間の空気の流れを円滑にすることができる。よって、例えば冷蔵庫に収納される場合、互いに結合された容器の間を円滑に流れることができるため、境界部分に位置する飲食物にも均一に冷気が伝達される。
【００６３】
図７は、図５の変形例を示す斜視図である。図示した容器１００ａによると、カバー１１０ａの上面に対向して対に形成された結合用グルーブ１１２ａ，１１３ａが長さ方向に沿って形成されながら両端まで延長されるが、両端から見ると結合用グルーブ１１２ａ，１１３ａが外部に連結される構造を有する。
【００６４】
よって、カバー１１０ａの上に積層される他の容器は上から押し込んで差し込んでもよいが、それとは異なって結合用グルーブ１１２ａ，１１３ａの端部から水平に押し込んで差し込んでもよい。
【００６５】
この際、結合用グルーブ１１２ａ，１１３ａの断面は図７の円の中に示したようにつぼのように下部に行くほど膨らんで膨張された形状を具備し、ここに差し込まれるリブ１２２の断面形状も類似に形成して結合用グルーブ１１２ａ，１１３ａに差し込まれたリブ１２２が容易に抜けられないようにする。
【００６６】
図８は、本発明の他の実施例による容器を示す斜視図である。この実施例によると、本体５２０の下面には幅方向に延長されて対を成すリブ５２２，５２３が長さ方向に一定間隔Ｒｔに配列される。
【００６７】
また、カバー５１０の上面にもリブ５２２，５２３のように幅方向に延長されて間隔Ｇｔで対を成す結合用グルーブ５１２，５１３が長さ方向に沿って一定間隔Ｇｔに配列される。
【００６８】
ここで、図８のように間隔ＲｔとＧｔは同じく形成せざる得ないが、容器本体の側壁から突出されるカバーの長さを考慮して適切に設計することで、前記一実施例のように隣接する容器が水平に結合されるようにすることができる。
【００６９】
また、この実施例ではリブ５２２，５２３が形成されていない部分、例えば幅方向の両端に空気出入口が形成されてもよい。
【００７０】
これまで本発明の実施例を中心に説明したが、当業者の水準で多様な変更を加えられることはもちろんである。よって、本発明の権利範囲は上述した実施例に限定されて解析されてはならず、以下に記載される特許請求の範囲によって解析されるべきである。
【図１】
2015533361.tif 000003
【図１ａ】
2015533361.tif 000004
【図１ｂ】
2015533361.tif 000005
【図２】
2015533361.tif 000006
【図３（ａ）】
2015533361.tif 000007
【図３（ｂ）】
2015533361.tif 000008
【図３（ｃ）】
2015533361.tif 000009
【図４】
2015533361.tif 000010
【図５】
2015533361.tif 000011
【図５ａ】
2015533361.tif 000012
【図６】
2015533361.tif 000013
【図７】
2015533361.tif 000014
【図８】
2015533361.tif 000015
【国際調査報告】
2015533361.tif 000016
2015533361.tif 000017
2015533361.tif 000018
2015533361.tif 000019